(57)【要約】【目的】杖は登山やハイキング、或いは日常生活で中高年に多く使用されており、グリップの握り易さや、長さ調節の簡便性・確実性等に発明・考案の目が向けられ、最終的に衝撃が加わる石突き部分に着目してなされたものは少ない。石突き部に焦点を合わせた出願人の実験によれば、市販中のものに、石突き部分が衝撃に耐えられずに変形或いは折損等の可能性も考えられるものも存在しており、本発明は下端部の石突き部分を強固にし、安全性の向上を図るものである。【構成】先端金具１１が一体的に下方に埋め込まれた軸体１２を有する石突き金具１３と、該軸体が埋め込まれる杖本体の下パイプ４１と、長手方向に長孔１６を有するとともに、該長孔の下端には少なくとも前記下パイプの肉厚と略同等か或いはそれ以上幅のテラス１５を備え、その下方は長孔１６よりも細径孔１７のカバー体１４とからなり、軸体１２と下パイプ４１との埋め込み接合部分を全体的に被膜し、これらの部材を回動不能に一体的に設けたカバー体１４は、合成樹脂或いは合成ゴムで作られることを特徴としている。【選択図】  図２
2004154523.tif 000002
【特許請求の範囲】
【請求項１】
先端金具１１が一体的に下方に埋め込まれた軸体１２を有する石突き金具１３と、該軸体が埋め込まれる杖本体の下パイプ４１と、
長手方向に長孔１６を有するとともに、該長孔の下端には少なくとも前記下パイプの肉厚と略同等か或いはそれ以上幅のテラス１５を備え、その下方は長孔１６よりも細径孔１７のカバー体１４とからなる杖の石突き。
【請求項２】
軸体１２と下パイプ４１との埋め込み接合部分を全体的に被膜し、これらの部材を回動不能に一体的に設けたカバー体１４は、合成樹脂或いは合成ゴムで作られることを特徴とする請求項１記載の杖の石突き。
【発明の詳細な説明】
【０００１】
【発明の属する技術分野】
本発明は登山やハイキング、或いは日常生活で中高年に多く使用されている杖に係り、特に下端の石突き部分に改良を加えて強固にし、安全性の向上を図るものである。
【０００２】
【従来の技術】
杖は登山やハイキング、或いは日常生活において最近中高年に大いに使用され重宝さている。しかしながら、発明・考案の目はグリップの握り易さや、長さ調節の簡便性・確実性等に向けられていて、最終的に衝撃が加わる最も重要とも考えられる石突き部分に着目してなされたものは少ない。特に、石突き部分の強度の向上を図ったものは多くは存在しない。
石突き部分に焦点を合わせた出願人の実験によれば、市販中のものの中には、衝撃に耐えられずに変形或いは折損等の可能性も考えられる物も存在する。
【０００３】
【発明が解決しようとする課題】
本発明が解決しようとする課題は、石突き部分に改良を加えて強固にし安全な杖を提供するものである。
【０００４】
【課題を解決するための手段】
先端金具１１が一体的に下方に埋め込まれた軸体１２を有する石突き金具１３と、該軸体が埋め込まれる杖本体の下パイプ４１と、
長手方向に長孔１６を有するとともに、該長孔の下端には少なくとも前記下パイプの肉厚と略同等か或いはそれ以上幅のテラス１５を備え、その下方は長孔１６よりも細径孔１７のカバー体１４とからなり、
軸体１２と下パイプ４１との埋め込み接合部分を全体的に被膜し、これらの部材を回動不能に一体的に設けたカバー体１４は、合成樹脂或いは合成ゴムで作られることを特徴としている。
【０００５】
【作用】
本発明は以上のように先端金具を、軸体を有する石突き金具の下方に埋め込み、更にこの石突き金具を下パイプの下端に埋め込み、この軸体と下パイプの埋め込み接合部を被膜するカバー体とから形成したものである。
構成部材中、最も耐磨耗性を有する素材の先端金具が同等或いはこれに次ぐ素材の石突き金具に、
次に、この石突き金具が下パイプにと、例えばプレス機械等の強い力で埋み込まれ三つの部材が一体を形成する。
三つの部材が一体となった石突き部分の内、軸体と軸体が埋め込まれた下パイプとの接合部を、例えば合成樹脂や或いは合成ゴムで作られたカバー体で全体的に被膜して該所の保護をし、部材の回動不能をより確実なものにして、さらなる安全性を向上・確保している。
したがって杖に加わる衝撃は、杖のパイプ、石突き金具、先端金具の順で、途中で逃げることなく下方に全て伝達されるので、変形や折損をすることが無い。その上、これらの部材を全体的に被膜しているカバー体によって衝撃は緩和される作用も働く。
【０００６】
【発明の実施形態】
以下に本発明実施の形態について図面を参照して説明する。
図１は本発明の構成部材を説明するもので、符号１１で示された部材は本発明の構成部材中、最も耐摩耗性の高い素材が採用されていて、後記石突き金具１３に強い力で埋め込まれる先端金具である。
この先端金具１１が下方から埋め込まれる石突き金具１３は、前記先端金具と同等或いはそれに次ぐ耐摩耗性に富む素材が採用されていて、軸体１２を有しており、該軸体１２は下パイプ４１の下端に強い力で埋め込まれ、先端金具、石突き金具、下パイプの三部材は回動不能な状態で一体的に設けられる。
【０００７】
例えば合成樹脂や合成ゴムなどによる符号１４のカバー体は、一体的に形成された主要部を全体的に被膜・保護するものであって、長手方向に孔１６が設けられていて、該孔は下パイプの肉厚と略同等か或いはそれ以上の幅のテラス１５の下方で細径の孔１７を呈している。
【０００８】
図２は図１で説明の各部材を杖に取付けた状態を示していて、先端金具１１が石突き金具１３に、石突き金具が下パイプ４１にと順に、例えばプレス機等による強い力で埋め込まれて一体に形成された石突き部材の内、石突き金具の軸体及び軸体が埋め込まれる下パイプの接合部分を全体的にカバー体で被膜・保護している。
該カバー体の細径の孔１７には前記石突き金具の軸体１２が嵌合され、この軸体が埋め込まれた下パイプ４１が長孔１６に嵌合されて、その下端がテラス１５に到達するようにして被膜している。尚、該部に取付けられるバスケット５はこのカバー体の適宜所に設けられることとなる。
【０００９】
図３は本発明の石突きが取付けられる杖１を示していて、２はグリップ、３は手皮、４は石突き部、５はバスケット、６は上部長さ調節部で７は中間長さ調節部、４１は下パイプ、４２は中間パイプで４３が上パイプである。
図の杖１は上パイプ、中間パイプ、下パイプで形成され、その長さが調節できる手段を有しているが、本発明に係る石突きはこの種の杖のみに採用を限定されるもので無く、長さ無調節の杖に採用するに何ら支障は無い。
【００１０】
【発明の効果】
以上のように本発明による杖の石突き部は、先端金具を埋め込んだ石突き金具と、該金具が埋め込まれる杖本体の下パイプとは、強い力で埋め込まれて一体に形成され、石突き部分の要部である軸体とこの軸体が埋め込まれる下パイプの接合部とを全体的に被膜するカバー体とから形成されたものであるから、杖に加わる衝撃はそのまま先端まで伝えられるので、途中で変形や折損することが無い安全な杖を提供できる。
また、要部を全体的に被膜しているカバー体は、合成樹脂或いは合成ゴムを採用しているので該部を保護する役目を果たす外、衝撃を緩和し且つバスケットの取付けを容易にする効果も奏する。
【図面の簡単な説明】
【図１】本発明の構成部材の説明図である。
【図２】本発明の取付け説明図である。
【図３】本発明の部材が取付けられる杖である。
【符号の説明】
１１先端金具    １２軸体    １３石突き金具    １４カバー体    １５テラス
１６長孔    １７細径孔      ４１下パイプ
【図１】
2004154523.tif 000003
【図２】
2004154523.tif 000004
【図３】
2004154523.tif 000005